(57)【要約】      （修正有）【課題】ウォータサーバを載置して支持すると共に高さをかさ上げする可能な上、内部に収納物を収納可能なウォータサーバ用スタンドを提供する。【解決手段】ウォータサーバ１０が載置される天部２と、天部２を介して連結される互いに対向する一対の側面部３，３とを備え、天部２及び一対の側面部３，３は、一連の板材から構成され、側面部３は、側面部３，３同士の下端間の長さよりも、上端間の長さが狭く設定されている。天部２と底部４とが離間して配置されているので、天部２と底部４との間には、収納物１２を収納し得る空間部７が形成される。【選択図】図１
2016199320.tif 000002
【特許請求の範囲】
【請求項１】
ウォータサーバが載置される天部と、
前記天部を介して連結される互いに対向する一対の側面部とを備え、
前記天部には、前記ウォータサーバを固定するための貫通孔が形成され、
前記天部及び前記一対の側面部は、一連の板材から構成され、
前記側面部は、前記側面部同士の下端間の長さよりも、上端間の長さが狭く設定されていることを特徴とするウォータサーバ用スタンド。
【請求項２】
前記側面部の下端間に設けられた底部を更に備えることを特徴とする請求項１に記載のウォータサーバ用スタンド。
【請求項３】
前記底部は、面状の本体部と、前記本体部の一方向の両端部を折り曲げて形成され、前記本体部を当該ウォータサーバ用スタンドが載置される載置面から離間させて支持する支持部とを有することを特徴とする請求項２に記載のウォータサーバ用スタンド。
【請求項４】
前記底部は、前記支持部が形成された一方向が前記側面部の対向方向と直交するように、前記側面部の下端間に配置されていることを特徴とする請求項３に記載のウォータサーバ用スタンド。
【請求項５】
前記側面部の下端には、それぞれ内側に向けて突出片が形成されており、
前記突出片が前記本体部の一方向と直交する他方向から差し込まれて、前記突出片の上面と前記本体部の下面とが一体化され、前記側面部と前記底部とは連結されていることを特徴とする請求項４に記載のウォータサーバ用スタンド。
【請求項６】
前記支持部は、湾曲状に形成されていることを特徴とする請求項３乃至５の何れかに記載のウォータサーバ用スタンド。
【請求項７】
前記底部は、前記天部よりも大きいことを特徴とする請求項２乃至６の何れかに記載のウォータサーバ用スタンド。
【請求項８】
前記側面部の下端間の長さと前記底部の一方向の長さとは、同じ長さであることを特徴とする請求項３乃至７の何れかに記載のウォータサーバ用スタンド。
【請求項９】
前記天部は、前記ウォータサーバと接合するための接合手段を有することを特徴とする請求項１乃至８の何れかに記載のウォータサーバ用スタンド。
【請求項１０】
前記天部は、前記ウォータサーバを位置決めするための位置決め手段を有することを特徴とする請求項１乃至９の何れかに記載のウォータサーバ用スタンド。
【請求項１１】
前記底部と前記天部との間には、収納物を収納し得る空間部が形成されていることを特徴とする請求項１乃至１０の何れかに記載のウォータサーバ用スタンド。
【発明の詳細な説明】
【技術分野】
【０００１】
本発明は、ウォータサーバが載置されるウォータサーバ用スタンドに関する。
【背景技術】
【０００２】
ウォータサーバは、例えば、前面の前面凹部の上方に、飲料水を吐出する吐出口と、レバー、ボタン、タッチパネル等の吐出操作部とが設置されており、ユーザ等によって吐出操作部が操作されると、吐出口からミネラルウォータ等の飲料水を吐出する（例えば、特許文献１参照）。
【０００３】
このようなウォータサーバは、大別すると、キッチンやリビング等の床に置く床置き型と、キッチンやリビングのカウンタ等の上に置く卓上型とがある。卓上型のウォータサーバは、キッチンやリビングのカウンタ等の上に置くことを踏まえて、床置き型のウォータサーバよりも小型化されており、特に、高さ方向の大きさが床置き型のウォータサーバよりも大幅に小さい。そして、ユーザは、設置状態に応じて何れかを選択して使用する。
【０００４】
しかしながら、ユーザは、卓上型から床置き型又は床置き型から卓上型等、設置状態を変更する場合、卓上型と床置き型とでは高さ方向の大きさが異なるので、例えば、卓上型のウォータサーバを単純に床置きすると、吐出口及び吐出操作部の配置位置が低くて使用し難く、床置き型のウォータサーバを卓上に載置すると、吐出口及び吐出操作部の配置位置が高過ぎて使用し難く、ウォータサーバを交換する必要があり、煩雑であった。
【先行技術文献】
【特許文献】
【０００５】
【特許文献１】特開２０１１−０４６４４６号公報
【発明の概要】
【発明が解決しようとする課題】
【０００６】
本発明は、以上のような課題に鑑みてなされたものであり、ウォータサーバを支持しつつ高さをかさ上げすることが可能な上、内部に収納物を収納可能なウォータサーバ用スタンドを提供することを目的とする。
【課題を解決するための手段】
【０００７】
本発明に係るウォータサーバ用スタンドは、ウォータサーバが載置される天部と、前記天部を介して連結される互いに対向する一対の側面部とを備え、前記天部には、前記ウォータサーバを固定するための貫通孔が形成され、前記天部及び前記一対の側面部は、一連の板材から構成され、前記側面部は、前記側面部同士の下端間の長さよりも、上端間の長さが狭く設定されていることを特徴とする。
【０００８】
更に、前記側面部の下端間に設けられた底部を更に備えるようにしてもよい。
【０００９】
更に、前記底部は、面状の本体部と、前記本体部の一方向の両端部を折り曲げて形成され、前記本体部を当該ウォータサーバ用スタンドが載置される載置面から離間させて支持する支持部とを有するようにしてもよい。
【００１０】
更に、前記底部は、前記支持部が形成された一方向が前記側面部の対向方向と直交するように、前記側面部の下端間に配置されているようにしてもよい。
【００１１】
更に、前記側面部の下端には、それぞれ内側に向けて突出片が形成されており、前記突出片が前記本体部の一方向と直交する他方向から差し込まれて、前記突出片の上面と前記本体部の下面とが一体化され、前記側面部と前記底部とは連結されているようにしてもよい。
【００１２】
更に、前記支持部は、湾曲状に形成されているようにしてもよい。
【００１３】
更に、前記底部は、前記天部よりも大きいようにしてもよい。
【００１４】
更に、前記側面部の下端間の長さと前記底部の一方向の長さとは、同じ長さであるようにしてもよい。
【００１５】
更に、前記天部は、前記ウォータサーバと接合するための接合手段を有するようにしてもよい。
【００１６】
更に、前記天部は、前記ウォータサーバを位置決めするための位置決め手段を有するようにしてもよい。
【００１７】
更に、前記底部と前記天部との間には、収納物を収納し得る空間部が形成されているようにしてもよい。
【発明の効果】
【００１８】
本発明によれば、ウォータサーバが載置される天部と、天部を介して連結される互いに対向する一対の側面部とを備えているので、ウォータサーバを天部に載置させて支持すると共に容易且つ自在に高さをかさ上げすることが出来る。
【００１９】
また、本発明によれば、天部と一対の側面部が一連の板材から構成されて、一連に形成されているので、構成を簡素化して低コスト化を図ることが出来、更に、低コストでありながらも美麗な外観を得ることが出来る。
【００２０】
また、本発明によれば、側面部同士の下端間の長さよりも上端間の長さが狭くなるように設定されて、側面部が鉛直方向に対して傾斜しているので、ブレース構造をなし、側面部が傾斜していない場合よりも、重心を低くすることが出来、例えばウォータサーバ用スタンドが傾いても倒れ難く、安定して自立することが出来る。更に、本発明によれば、側面部が鉛直方向に対して傾斜してブレース構造をなしているので、側面部が傾斜していない場合よりも、強度が向上し、それに伴い、肉厚を薄くすることが出来、強度の向上を図りつつも低コスト化を図ることが出来る。
【図面の簡単な説明】
【００２１】
【図１】ウォータサーバ用スタンドの使用状態を示した正面図である。
【図２】ウォータサーバ用スタンドの使用状態を示した側面図である。
【図３】ウォータサーバ用スタンドを示した正面図である。
【図４】ウォータサーバ用スタンドを示した平面図である。
【図５】ウォータサーバ用スタンドを示した底面図である。
【図６】ウォータサーバ用スタンドを示した側面図である。
【図７】ウォータサーバ用スタンドを示した斜視図である。
【図８】ウォータサーバ用スタンドの天部及び側面部を示した斜視図である。
【図９】ウォータサーバ用スタンドの底部を示した斜視図である。
【図１０】ウォータサーバ用スタンドの天部及び側面部を構成する板部材を示した平面図である。
【図１１】ウォータサーバ用スタンドの底部の第一変形例を示した斜視図である。
【図１２】ウォータサーバ用スタンドの底部の第二変形例を示した斜視図である。
【発明を実施するための形態】
【００２２】
以下、本発明を適用したウォータサーバ用スタンドについて、図面を参照しながら詳細に説明する。なお、本発明は、以下の例に限定されるものではなく、本発明の要旨を逸脱しない範囲で任意に変更可能である。
【００２３】
ここでは、図１及び図２に示すように、本発明を適用したウォータサーバ用スタンド１は、上面に載置物として卓上型のウォータサーバ１０を載置させて、ウォータサーバ１０を支持すると共に高さをかさ上げするウォータサーバ用スタンドとして使用される場合を例に説明していく。
【００２４】
＜１．ウォータサーバ用スタンドの構成の説明＞
ウォータサーバ用スタンド１は、図１及び図２に示すように、例えばキッチンやリビングや寝室の床等の載置面１１に鉛直方向に立てた状態で使用される。具体的に、図３〜図９に示すように、ウォータサーバ用スタンド１は、載置物であるウォータサーバ１０が載置される天部２と、天部２を介して連結される互いに対向する一対の側面部３，３と、側面部３，３の下端間に設けられる底部４とを備え、例えば、正面視略台形状に形成されている。
【００２５】
天部２は、図４及び図８に示すように、例えば、平面視略正方形状に形成され、上面にウォータサーバ１０が載置される。更に、天部２には、ウォータサーバ１０を接合するための接合手段５が形成されている。この接合手段５は、例えば、ウォータサーバ１０を接合する貫通孔５ａと、ウォータサーバ１０を位置決めする凸状の位置決め部５ｂとで構成されている。ここでは、貫通孔５ａが天部２の略中央部に一つ形成され、位置決め部５ｂが貫通孔５ａの周囲に四つ等間隔に形成されている。これにより、天部２には、ウォータサーバ１０を載置して、天部２の位置決め部５ｂとウォータサーバ１０の底面に位置決め部５ｂに対向するように形成された凹状の位置決め部（不図示）とを嵌合させてウォータサーバ１０を位置決めした後に、ボルトを天部２の下方から貫通孔５ａを介してウォータサーバ１０の底面に形成されたネジ孔（不図示）に螺合することで、ウォータサーバ１０が接合される。
【００２６】
なお、貫通孔５ａは、二つ以上形成されるようにしてもよく、更に、天部２の中央部以外の箇所に形成されるようにしてもよい。また、位置決め部５ｂは、四つ以上又は四つ以下形成されるようにしてもよく、更に、不等間隔で任意の位置に形成されるようにしてもよい。また、接合手段５は、位置決め部５ｂを省略して、貫通孔５ａだけで構成されるようにしてもよい。また、天部２は、接合手段５の代わりに、溶接等でウォータサーバ１０が直接的に接合されるようにしてもよい。また、天部２の位置決め部５ｂを凹状に形成し、ウォータサーバ１０の位置決め部を凸状に形成するようにしてもよい。
【００２７】
側面部３は、図３及び図８に示すように、天部２の一方向の端部にそれぞれ一体に形成されており、互いに対向するように設けられている。すなわち、一対の側面部３，３は、天部２を介して互いに対向するように連結されている。更に、側面部３は、天部２から鉛直方向に対して離間するに連れて、側面部３，３間の間隔が広くなるように、側面部３の対向方向（天部２の一方向）に対して外側に向けて傾斜して、側面部３，３同士の下端間の長さＷ１よりも、上端間の長さＷ２が狭くなるように設定されている。更に、一対の側面部３，３は、図６に示すように、側面部３の対向方向（天部２の一方向）と直交する奥行き方向の長さＤ２が上端から下端に亘って天部２の一方向と直交する奥行き方向の長さＤ２と同じとなるように設けられている。
【００２８】
また、側面部３の下端には、図３及び図８に示すように、それぞれ内側に向けて突出片３ａが形成されている。この突出片３ａは、例えば、天部２と略平行となるように形成されており、側面部３と底部４とを連結する際に連結部として機能する。
【００２９】
以上のような構成を有する天部２及び側面部３は、図１０に示すように、一連の板材から構成されている。具体的には、図１０に示すような矩形状の長尺な一枚板を、各折目６ａ，６ｂ，６ｃ，６ｄで折り曲げることによって、天部２、一対の側面部３，３、突出片３ａが一連に形成される。
【００３０】
底部４は、図４及び図９に示すように、平面視略矩形状に形成され、図１及び図２に示すように、例えば床等の載置面１１に直接的に配置される。更に、底部４は、図４に示すように、天部２よりも平面視した際の面積が大きくなるように形成されている。
【００３１】
具体的に、底部４は、図６及び図９に示すように、面状の本体部４ａと、本体部４ａの一方向の両端部を湾曲状に折り曲げて円弧状に形成され、本体部４ａをウォータサーバ用スタンド１が載置される載置面１１から離間させて支持する支持部４ｂとを有している。更に、本体部４ａ及び支持部４ｂは、一連の板材から構成されており、矩形状の長尺な一枚板を折り曲げることによって一連に形成されている。更に、底部４は、図４に示すように、支持部４ｂが形成された一方向の長さＤ１が、天部２の奥行き方向の長さＤ２よりも長く、本体部４の一方向と直交する側面部３の対向方向における側面部３の下端間の長さＷ１と同じ長さとなるように設けられている。これにより、側面部３が、対向方向において下端間の長さＷ１よりも上端間の長さＷ２が狭くなるように形成され、奥行き方向において天部２の奥行き方向の長さＤ２で一様に形成されて、側面部３としては下端部が平面視略矩形状となっていても、底部４によって、ウォータサーバ用スタンド１としては下端部が平面視略正方形状となっている。
【００３２】
なお、実際に載置面１１に配置されているのは底部４であることを踏まえて、側面部３の下端間の長さＷ１の代わりに、底部４は、一方向の長さＤ１が、本体部４の他方向の長さＷ３と同じ長さとなるように設けられるようにしてもよい。
【００３３】
また、底部４は、図７に示すように、支持部４ｂが形成された一方向が側面部３の対向方向と直交するように、側面部３の下端間に天部２と略平行に配置されている。更に、底部４は、図３及び図６に示すように、突出片３ａが本体部４ａの一方向と直交する他方向から本体部４ａと載置面１１との間に差し込まれて、突出片３ａの上面と本体部４ａの下面とが当接されて、その状態で、図５に示すように、本体部４ａの下面側から溶接等が行われて、突出片３ａの上面と本体部４ａの下面とが一体化されて、側面部３と連結されている。この際、図５に示すように、複数の溶接個所８だけを溶接するようにして、部分的に溶接するようにしてもよく、突出片３ａの全面に亘って溶接するようにしてもよい。
【００３４】
なお、突出片３ａの上面に凸状又は凹状の位置決め部３ｃが形成され、本体部４ａの下面に突出片３ａの位置決め部３ｃと嵌合して突出片３ａを本体部４ａに対して位置決めする凹状又は凸状の位置決め部４ｃが形成されるようにしてもよい。
【００３５】
また、図７に示すように、天部２と底部４とが離間して配置されているので、天部２と底部４との間には、収納物１２を収納し得る空間部７が形成されている。この空間部７には、図１に示すように、例えば、ミネラルウォータ等の飲料水が充填されたウォータサーバ１０の予備の水容器、調理器具、食器、食材、飲料、調味料、電化製品、本・雑誌等、設置場所に応じた各種の収納物１２が底部４上に並べられて及び／又は積層又は段積みされて収納することが出来る。
【００３６】
＜２．ウォータサーバ用スタンドの製造方法の説明＞
次に、以上のような構成を有するウォータサーバ用スタンド１の製造方法について説明する。
【００３７】
先ず、図１０に示すような矩形状の長尺な板材を、各折目６ａ，６ｂ，６ｃ，６ｄで折り曲げることによって、天部２、一対の側面部３，３、各突出片３ａを一連に形成する。
更に、矩形状の長尺な他の板材の一方向の両端部を湾曲状に折り曲げることによって、本体部４ａ及び支持部４ｂで構成された底部４を一連に形成する。
【００３８】
次いで、図７に示すように、底部４を、支持部４ｂが形成された一方向が側面部３の対向方向と直交するように、側面部３の下端間に天部２と略平行に配置する。そして、図３及び図６に示すように、突出片３ａを、本体部４ａの一方向と直交する他方向から本体部４ａと載置面１１との間に差し込んで、突出片３ａの上面と本体部４ａの下面とを当接させて、その状態で、図５に示すように、本体部４ａの下面側から溶接等が行われて、突出片３ａの上面と本体部４ａの下面とを一体化して、底部４を側面部３と連結する。
【００３９】
以上のようにして、ウォータサーバ用スタンド１が製造される。
【００４０】
＜３．ウォータサーバ用スタンドの使用方法の説明＞
次に、以上のようにして製造されたウォータサーバ用スタンド１の使用方法について説明する。
【００４１】
以上のようにして製造されたウォータサーバ用スタンド１は、先ず、底部４が床等の載置面１１に直接的に配置されて鉛直方向に立てた状態で、天部２の位置決め部５ｂとウォータサーバ１０の底面の位置決め部（不図示）とを嵌合させて、天部２にウォータサーバ１０を載置させる。この際、ウォータサーバ用スタンド１は、天部２の位置決め部５ｂとウォータサーバ１０の底面の位置決め部（不図示）とが嵌合されて位置決めされるので、天部２にウォータサーバ１０を容易に載置することが出来る。
更に、ウォータサーバ１０が天部２に対してずれ動くことを防止出来る。
【００４２】
次いで、ウォータサーバ用スタンド１は、ボルトを天部２の下方から貫通孔５ａを介してウォータサーバ１０の底面のネジ孔に螺合することで、天部２にウォータサーバ１０を接合させる。
【００４３】
以上のようにして、ウォータサーバ用スタンド１は、卓上型のウォータサーバ１０を天部２に載置させて支持すると共に高さをかさ上げする。
【００４４】
＜４．ウォータサーバ用スタンドの作用効果＞
以上のように、ウォータサーバ用スタンド１は、載置物であるウォータサーバ１０が載置される天部２と、天部２を介して連結される互いに対向する一対の側面部３，３と、側面部３の下端間に設けられる底部４とを備えているので、ウォータサーバ１０を天部２に載置させて支持すると共に高さをかさ上げすることが出来る。従って、ウォータサーバ用スタンド１は、卓上型のウォータサーバ１０を床置き型として使用しても、ミネラルウォータ等の飲料水を外部に吐出するウォータサーバ１０の吐出口やレバー等の吐出操作部の位置を従来の床置き型のウォータサーバとほぼ同じ高さに配置することが出来る。よって、卓上型のウォータサーバ１０は、床置き型としても違和感なく使用することが出来る。その一方で、ウォータサーバ１０は、ウォータサーバ用スタンド１を取り外すことで、本来の卓上型としても使用することも出来る。
【００４５】
また、ウォータサーバ用スタンド１は、天部２と一対の側面部３，３とが一連の板材から構成されて、一連に形成されているので、構成を簡素化して低コスト化を図ることが出来る。
【００４６】
また、ウォータサーバ用スタンド１は、側面部３，３同士の下端間の長さＷ１よりも上端間の長さＷ２が狭くなるように設定されて、側面部３が鉛直方向に対して傾斜しているので、ブレース構造をなし、側面部３が傾斜していない場合よりも、重心を低く底部４側にすることが出来、例えばウォータサーバ用スタンド１が傾いても倒れ難く、安定して自立することが出来る。更に、ウォータサーバ用スタンド１は、側面部３が鉛直方向に対して傾斜してブレース構造をなしているので、側面部３が傾斜していない場合よりも、強度が向上し、それに伴い、肉厚を薄くすることが出来、強度の向上を図りつつも低コスト化を図ることが出来る。
【００４７】
また、ウォータサーバ用スタンド１は、天部２と底部４との間に収納物１２を収納し得る空間部７が形成されているので、空間部７にウォータサーバ１０の予備の水容器等の各種の収納物１２を収納することが出来、天部２の鉛直方向下方の空間を有効活用することが出来る。更に、ウォータサーバ用スタンド１は、ウォータサーバ１０の予備の水容器の保管場所を確保することが出来る。更に、ウォータサーバ用スタンド１は、底部４上に収納物１２が載置されるので、収納物１２を床に直接的に置くよりも、衛生性を向上させることが出来る。更に、ウォータサーバ用スタンド１は、底部４上に収納物１２が載置されるので、収納物１２が重しとなり、例えばウォータサーバ用スタンド１が傾いても倒れ難くすることが出来る。
【００４８】
また、ウォータサーバ用スタンド１は、底部４が、面状の本体部４ａと、本体部４ａの一方向の両端部を折り曲げて形成され、本体部４ａをウォータサーバ用スタンドが載置される載置面１１から離間させて支持する支持部４ｂとを有し、支持部４ｂが形成された一方向が側面部３の対向方向と直交するように、側面部３の下端間に配置され、側面部３の下端に内側に向けて形成された突出片３ａが本体部４ａの一方向と直交する他方向から差し込まれて、突出片３ａの上面と本体部４ａの下面とが当接された状態で本体部４ａの下面側から溶接等によって一体化され、側面部３と連結されている。従って、ウォータサーバ用スタンド１によれば、突出片３ａも溶接箇所８も本体部４ａの下面に設けられるので、本体部４ａの上面には他部品も配置されず溶接箇所８や貫通孔やネジ孔等もなく、凹凸や段差がないので、天部２と底部４との間の空間部７に収納物１２を容易に収納することが出来る。
【００４９】
また、ウォータサーバ用スタンド１は、底部４の支持部４ｂが湾曲状に形成されているので、天部２と底部４との間の空間部７に収納物１２を収納する際に誘い込み部として機能し、空間部７に収納物１２を容易に収納することが出来る。
【００５０】
また、ウォータサーバ用スタンド１は、底部４が天部２よりも平面視した際の面積が大きいので、例えばウォータサーバ用スタンド１が傾いても倒れ難く、安定して自立することが出来る。
【００５１】
また、ウォータサーバ用スタンド１は、側面部３の下端間の対向方向の長さＷ１とこの対向方向と直交する底部４の一方向の長さＤ１とが同じ長さに形成されているので、側面部３が傾斜するように設けられて下端部が平面視略矩形状となっていても、ウォータサーバ用スタンド１としての下端部が平面視略正方形状となり、例えばウォータサーバ用スタンド１がどの方向に傾いても倒れ難く、より安定して自立することが出来る。
【００５２】
また、ウォータサーバ用スタンド１は、天部２がウォータサーバ１０と接合するための接合手段５を有しているので、ウォータサーバ用スタンド１とウォータサーバ１０とを容易に着脱することが出来る。従って、ユーザは、ウォータサーバ用スタンド１とウォータサーバ１０とを着脱することで、卓上型のウォータサーバ１０を、卓上型として使用することに加え、床置き型としても使用することが出来る。
【００５３】
＜５．変形例＞
なお、底部４の支持部４ｂは、本体部４ａの一方向の両端部の全域に形成されることに限定されるものではなく、図１１に示すように、四つの角部にそれぞれ形成される等、一部に形成されるようにしてもよい。これにより、支持部４ｂが本体部４ａの全域に形成されている場合よりも、支持部４ｂと載置面１１との接触面積が減少するので、載置面１１の凹凸等の表面形状の影響を受け難く、がたつきなく、安定して載置面１１に設置することが出来る。
【００５４】
また、底部４の支持部４ｂは、図９に示すように、本体部４ａの一方向の両端部を円弧状に曲げ加工されて形成されることに限定されるものではなく、図１２に示すように、円形状に曲げ加工されて形成されるようにしてもよい。
【００５５】
また、ウォータサーバ用スタンド１は、空間部７にラック部材を配置して、空間部７を二つ以上に分けるようにしてもよい。これにより、ウォータサーバ用スタンド１は、ウォータサーバ用スタンド１の底部４上とラック部材上とにそれぞれ収納物１２を収納することが出来、より多くの収納物１２を収納することが出来る。特に積層或いは段積みして収納することが出来ない収納物１２をより多く収納することが出来る。
【００５６】
また、側面部３は、補強のためのリブを設けたり、断面波形の波形状としてもよい。
【００５７】
また、ウォータサーバ用スタンド１は、底部４を省略して、図８に示すように、天部２と一対の側面部３，３のみで構成されるようにしてもよい。このような場合であっても、側面部３の下端や突出片３ａを床等の載置面１１に配置することで、ウォータサーバ用スタンド１１を載置面１１に鉛直方向に立てた状態で使用することが出来、底部４を有する場合と同様に、ウォータサーバ１０を天部２に載置させて支持すると共に高さをかさ上げすることが出来、構成を簡素化して低コスト化を図ることが出来、安定して自立することが出来る。
【符号の説明】
【００５８】
１  ウォータサーバ用スタンド、２  天部、２ｃ  天部、３  側面部、３ａ  突出片、３ｃ  位置決め部、４  底部、４ａ  本体部、４ｂ  支持部、４ｃ  位置決め部部、５  接合手段、５ａ  貫通孔、５ｂ  位置決め部、６ａ，６ｂ，６ｃ，６ｄ  折目、７  空間部、８  溶接箇所、１０  ウォータサーバ、１１  載置面、１２  収納物
【図１】
2016199320.tif 000003
【図２】
2016199320.tif 000004
【図３】
2016199320.tif 000005
【図４】
2016199320.tif 000006
【図５】
2016199320.tif 000007
【図６】
2016199320.tif 000008
【図７】
2016199320.tif 000009
【図８】
2016199320.tif 000010
【図９】
2016199320.tif 000011
【図１０】
2016199320.tif 000012
【図１１】
2016199320.tif 000013
【図１２】
2016199320.tif 000014